(57)【要約】 【課題】  椅子部の脱線や転落を防止して安全性を向上させるとともに、椅子部の載せ替え作業の作業効率を向上させ、作業スピードを向上させることができる入浴用車椅子を提供することを目的とする。【解決手段】  台車１１の上に、台車１１に対して水平方向にスライド可能であって台車１１と分離可能な椅子部１２が配置されてなり、椅子部１２が、台車１１と入浴者を椅子部１２に乗せたまま入浴させる入浴装置との間で移動される入浴用車椅子１０において、台車１１が入浴装置に対して正規の位置に配置されていない移動不可状態では、台車１１上にある椅子部１２の分離方向Ｌへのスライドを規制し、台車１１が入浴装置に対して正規の位置に配置された移動可能状態では、椅子部１２の分離方向Ｌへのスライド規制を解除する安全機構１３が備えられ、安全機構１３は、移動不可状態での戻り方向Ｍへの椅子部１２のスライドを許容する構成からなる。【選択図】      図５
2006255165.tif 000002
【特許請求の範囲】
【請求項１】
複数のキャスターを有する台車の上に、該台車に対して水平方向にスライド可能であって前記台車と分離可能な椅子部が配置されてなり、該椅子部が、前記台車と入浴者を前記椅子部に乗せたまま入浴させる入浴装置との間で移動される入浴用車椅子において、
前記台車が前記入浴装置に対して正規の位置に配置されていない移動不可状態では、前記台車上にある前記椅子部の分離方向へのスライドを規制し、前記台車が前記入浴装置に対して正規の位置に配置された移動可能状態では、前記椅子部の分離方向へのスライド規制を解除する安全機構が備えられ、
該安全機構は、前記移動不可状態での分離方向と反対の戻り方向への前記椅子部のスライドを許容する構成からなることを特徴とする入浴用車椅子。
【請求項２】
請求項１記載の入浴用車椅子において、
前記安全機構は、前記台車上における前記椅子部の正規載置位置から分離方向側にずらされ、且つ、入浴者を着座させた状態における該椅子部の仮想重心線が分離方向側の最外側にあるキャスターの仮想重心線よりも戻り方向側になる位置で、分離方向へスライドする前記椅子部を係止するものであることを特徴とする入浴用車椅子。
【請求項３】
請求項１または２記載の入浴用車椅子において、
前記安全機構には、前記移動不可状態では、前記椅子部の一部に当接される係合位置に配置されて分離方向へスライドする前記椅子部に係止され、前記移動可能状態では、前記椅子部と係合しない非係合位置に配置されて前記椅子部の分離方向および戻り方向へのスライドをそれぞれ許容する係合部材が備えられ、
該係合部材は、少なくとも前記係合位置に配置された状態で、戻り方向側へ回動自在になっており、前記移動不可状態での前記椅子部の戻り方向へのスライドは許容されることを特徴とする入浴用車椅子。    
【発明の詳細な説明】
【技術分野】
【０００１】
本発明は、主に体が不自由で介助が必要な入浴者（以下、要介助者と記す。）を着座させたまま入浴させる際に用いる分離型の入浴用車椅子に関する。
【背景技術】
【０００２】
一般に、車椅子に着座した要介助者を入浴させる際に、要介助者を着座させたまま浴槽や洗浄台等の入浴装置に移動させるため、分離型の入浴用車椅子が使用される。この入浴用車椅子は、下部にキャスターが設けられて上部にレールが二列平行に付設されている台車と、下部にレール上を走行するための車輪が設けられて前後または左右に移動可能になっている椅子部とからなるものであり、台車と椅子部とが分離できる構成からなっている。一方、入浴用車椅子に対応する入浴装置には、台車に付設されたレールと同じ間隔で配列された２本のレールが設けられている。
【０００３】
上記した入浴用車椅子および入浴用装置を用いて要介助者を入浴させるには、まず、入浴用車椅子を、浴槽や洗浄台等の入浴装置に横付けし、台車上のレールと入浴装置に付設されたレールとが同軸上になるように位置合わせする。そして、台車および入浴装置のレールに沿って椅子部ごと要介助者を台車上から入浴装置上へ移動させる。また、入浴後は、台車および入浴装置のレールに沿って椅子部ごと要介助者を入浴装置上から台車上へ移動させる。
【０００４】
従来の分離型の入浴用車椅子には、椅子部が台車のレールの上を不用意に移動すると要介助者を乗せたまま椅子部が台車上から転落する虞があるという問題に鑑みて、椅子部を台車上の正規の位置で固定するロック機構が備えられている。これによって、椅子部が台車のレールの上を不用意に移動するのを規制することができる。このロック機構は、台車側に備えられた上下動可能な係止ピンを椅子部の一部に形成された孔に下から挿入させることで椅子部の移動を係止するものである。係止ピンは、リンク機構を介して解除レバーに繋げられており、介助者等が解除バーを操作することで係合ピンが下降し、椅子部のロック状態は解除される（例えば、特許文献１参照。）。
【０００５】
上記した従来の入浴用車椅子では、安全性は確保されているが、台車が入浴装置に対して正規の位置に配置されていない場合にも、ロック機構が解除され得る構造であるため、ロック機構を解除して椅子部を台車上から入浴装置に移す際、介助者は、台車が入浴装置に対して正規の位置にあることを相当の注意をもって確認しなければならないという問題がある。そこで、近年では、上記問題点を鑑み、上記したロック機構（第１のロック機構）に加えて、台車が入浴装置に対して正規の位置になければ解除されないロック機構（第２のロック機構）が備えられた入浴用車椅子が提案されている。この第２のロック機構は、椅子部に付設された被係止板を、台車側に備えられた上下動可能な係止ピンに係止させることで椅子部の移動を係止するものである。係止ピンは、リンク機構を介して解除レバーに繋げられており、台車が入浴装置に対して正規の位置に配置されると、解除レバーの先端部が入浴装置の一部に当接し、解除レバーが押されて係止ピンが下降し、第２のロック機構は解除される（例えば、特許文献２参照。）。
【特許文献１】特開平５−１２３３６２号公報  （第３頁、第１図）
【特許文献２】特開２００４−１５４２４１号公報
【発明の開示】
【発明が解決しようとする課題】
【０００６】
しかしながら、上記した前者の従来の入浴用車椅子では、上述したとおり、入浴用車椅子を入浴装置の横にセットし、椅子部を台車上から入浴装置に移す際、介助者は、台車が入浴装置に対して正規の位置にあることを相当の注意をもって確認しなければならないという問題がある。
【０００７】
また、上記した双方の従来の入浴用車椅子では、上記した従来の入浴用車椅子では、入浴後に、要介助者を乗せた椅子部を入浴装置上から台車上に戻す際、介助者は、椅子部を台車上におおよそ引き戻すだけでなく、確実にロックされたことを確認した後に、入浴用車椅子を入浴装置から離さなければならず、作業スピードを向上させることが難しいという問題がある。これは、介助者が作業を急ぐあまり、椅子部を台車上に完全に戻さず、ロック機構でロックされる前に入浴用車椅子を入浴装置から離してしまうと、介助者がロックされていないことに気づかず、椅子部が台車上から転落する虞があるためである。
【０００８】
また、上記した後者の従来の入浴用車椅子では、椅子部が台車上に完全に戻し終える前に入浴用車椅子を入浴装置から離してしまうと、係止ピンが上昇して被係止板の裏面が係止ピンに係止されるため、椅子部を完全な戻し位置（第１のロック機構でロックすることができる位置）まで戻すことができなくなり、入浴用車椅子を再度入浴装置の横にセットし直すか、或いは第２のロック機構の解除レバーを手で解除するなどしなければならない。したがって、介助者が作業を急ぎ、椅子部が不完全な状態で台車上に載せられると、やり直し作業や余計な作業が必要となり、作業効率が悪くなるという問題が存在する。
【０００９】
本発明は、上記した従来の問題が考慮されたものであり、椅子部の脱線や転落を防止して安全性を向上させるとともに、椅子部の載せ替え作業の作業効率を向上させ、作業スピードを向上させることができる入浴用車椅子を提供することを目的としている。
【課題を解決するための手段】
【００１０】
請求項１記載の発明は、複数のキャスターを有する台車の上に、該台車に対して水平方向にスライド可能であって前記台車と分離可能な椅子部が配置されてなり、該椅子部が、前記台車と入浴者を前記椅子部に乗せたまま入浴させる入浴装置との間で移動される入浴用車椅子において、前記台車が前記入浴装置に対して正規の位置に配置されていない移動不可状態では、前記台車上にある前記椅子部の分離方向へのスライドを規制し、前記台車が前記入浴装置に対して正規の位置に配置された移動可能状態では、前記椅子部の分離方向へのスライド規制を解除する安全機構が備えられ、該安全機構は、前記移動不可状態での分離方向と反対の戻り方向への前記椅子部のスライドを許容する構成からなることを特徴としている。
【００１１】
このような特徴により、台車が入浴装置に対して正規の位置に配置されていない移動不可状態のとき、安全機構が、椅子部の分離方向へのスライドを規制する一方で、椅子部の戻り方向へのスライドを許容するため、台車上からの椅子部の転落が防止されるとともに、不完全な状態で台車上に載せられた椅子部を、安全機構により規制されることなく、完全に引き戻すことが可能となる。
【００１２】
請求項２記載の発明は、請求項１記載の入浴用車椅子において、前記安全機構は、前記台車上における前記椅子部の正規載置位置から分離方向側にずらされ、且つ、入浴者を着座させた状態における該椅子部の仮想重心線が分離方向側の最外側にあるキャスターの仮想重心線よりも戻り方向側になる位置で、分離方向へスライドする前記椅子部を係止するものであることを特徴としている。
【００１３】
このような特徴により、台車上における椅子部のスライド範囲のうち、椅子部の正規載置位置と安全機構によって分離方向へスライドする椅子部を係止する係止位置との間には、椅子部が係止位置よりも分離方向側にスライドすることがなく、椅子部の台車上からの転落が防止される安全圏が形成される。また、椅子部の係止位置は、入浴者を着座させた状態における椅子部の仮想重心線が分離方向側の最外側にあるキャスターの仮想重心線よりも戻り方向側になる位置であるため、椅子部が係止位置に配置されたときに、椅子部は、台車上に安定した状態で載置され、バランスを崩して転倒することがない。
【００１４】
請求項３記載の発明は、請求項１または２記載の入浴用車椅子において、前記安全機構には、前記移動不可状態では、前記椅子部の一部に当接される係合位置に配置されて分離方向へスライドする前記椅子部に係止され、前記移動可能状態では、前記椅子部と係合しない非係合位置に配置されて前記椅子部の分離方向および戻り方向へのスライドをそれぞれ許容する係合部材が備えられ、該係合部材は、少なくとも前記係合位置に配置された状態で、戻り方向側へ回動自在になっており、前記移動不可状態での前記椅子部の戻り方向へのスライドは許容されることを特徴としている。
【００１５】
このような特徴により、移動不可状態では、台車上にある椅子部の分離方向へのスライドを規制する一方で、分離方向と反対の戻り方向への椅子部のスライドを許容し、移動可能状態では、椅子部の分離方向へのスライド規制を解除する安全機構が実現される。
【発明の効果】
【００１６】
本発明に係る入浴用車椅子によれば、台車が入浴装置に対して正規の位置に配置されていない移動不可状態では、椅子部が台車から分離されることはなく、台車上からの椅子部の転落を防止することができる。また、椅子部を台車上の正規の載置位置まで戻し終える前に入浴用車椅子を入浴装置から離してしまった場合でも、安全機構の戻り方向のスライドは許容されているため、そのまま椅子部を正規の載置位置まで引き戻すことが可能である。よって、入浴用車椅子を入浴装置に対して正規の位置に配置し直す等のやり直し作業を行う必要がなく、椅子部の載せ替え作業の作業効率が向上し、作業スピードを速くすることができる。
【００１７】
また、椅子部の正規載置位置から分離方向側にずらされた位置で椅子部を係止する安全機構とすることで、椅子部を係止する位置と正規載置位置との間に椅子部の転落が防止される安全圏が形成される。したがって、椅子部を引き戻す際、台車上における正規の載置位置の手前に安全圏があることになり、椅子部を完全に引き戻さなくても、椅子部が少なくとも安全圏内に入っていれば、安全機構によって椅子部が台車上から転落することを回避することができる。これによって、椅子部の乗せ替え作業を急いだ場合でも安全性を確保することができる。また、椅子部の正規載置位置から分離方向側にずらされた位置で椅子部を係止する場合は、椅子部の仮想重心線が分離方向側の最外側にあるキャスターの仮想重心線よりも戻り方向側になる範囲内にある位置になるようにすることで、椅子部が分離方向側に寄ったときに、バランスを崩して転倒することを防止することができ、安全性を向上させることができる。
【発明を実施するための最良の形態】
【００１８】
以下、本発明に係る入浴用車椅子の実施の形態について、図面に基いて説明する。
【００１９】
図１は要介助者を入浴させるためのリフト式入浴装置の入浴用受け台１を表す図である。
図１に示すように、入浴用受け台１の上面には矩形の水平基盤２が設けられており、この水平基盤２の上面には、入浴用受け台１の側方から浴槽３内に向かって延在する第１のレール４が二列平行に配設されている。また、入浴用受け台１の前面１ａには、水平方向に間隔をあけて設けられた２つの台車ガイド部５ａ，５ｂと、２つの台車ガイド部５ａ，５ｂ間にそれぞれ配置された台車連結部６およびロッド当接部７とが突設されている。
【００２０】
台車連結部６は、上端側の角が斜めにきられた箱状の部材であり、台車連結部６の上面には、鉛直方向に延在する連結孔６ａが形成されており、台車連結部６の前面から連結孔６ａにかけて案内部６ｂが形成されている。
【００２１】
図２は要介助者を着座させたまま入浴させるための分離型の入浴用車椅子１０を表す図である。なお、本実施の形態では、図２における左側を入浴用車椅子１０の前側とし、図２における右側を入浴用車椅子１０の後側とし、前後方向（図２おける左右方向）に直交する水平方向を入浴用車椅子１０の幅方向とする。また、本実施の形態では、後述する分離方向Ｌは前側方向（図２おける右側から左側に向かう方向）を意味し、戻り方向Ｍは後側方向（図２おける右側から左側に向かう方向）を意味する。
【００２２】
図２に示すように、入浴用車椅子１０は、床面Ｆ上を走行可能な台車１１と、台車１１に対して水平方向にスライド可能であって台車１１と分離可能な椅子部１２と、椅子部１２の台車１１上からの転落を防止する安全機構１３と、台車１１と椅子部１２を連結するロック機構１４とから構成されている。
【００２３】
台車１１は、四角形状の台車フレーム１５と、台車フレーム１５の下端四隅にそれぞれ設けられた複数のキャスター１６と、椅子部１２を移動可能に支持する２本の第２のレール１７と、台車１１と入浴用受け台１を連結する連結手段１８とから構成されている。
【００２４】
台車フレーム１５は、四角状に配置された４本の脚部１９ａ，１９ｂが、前後方向および幅方向に延在するつなぎパイプ２０で連結され、且つ前後方向に延在する２本のつなぎパイプ２０間に横架材２１が架設された構成からなる。また、２本の前側脚部１９ａの上端間および２本の後側脚部１９ｂの上端間には、２本の第２のレール１７をそれぞれ支持するためのレール架台２２がそれぞれ架設されている。また、２本の前側の脚部１９ａには、図１に示す入浴用車椅子１０を入浴用受け台１に隣接させる際に、入浴用受け台１の側面に設けられた台車ガイド部５ａ，５ｂにそれぞれ突き当たって、両者の相対的な位置決めを行う円盤状の位置決め部材２３が取り付けられている。
【００２５】
キャスター１６は、４本の脚部１９ａ，１９ｂの下端にそれぞれ取り付けられている。２本の第２のレール１７は、幅方向にそれぞれ延在する２本のレール架台２２間にそれぞれ架設されており、入浴用車椅子１０の前後方向にそれぞれ延在されている。また、２本の第２のレール１７は、図１に示す入浴用受け台１に備えられた２本の第１のレール４と同じ間隔で設けられており、台車１１が入浴用受け台１に対して正規の位置に配置された状態では、第１のレール４と第２のレール１７とが同一直線上に配置される。
また、台車１１の後側端部には、椅子部１２が後方に脱線しないように、戻り方向へスライドする椅子部１２を係止する図示せぬ係止部が設けられている。
【００２６】
連結手段１８は、前後方向に延在するロッド２４と、ロッド２４の前端に付設されているとともに図１に示す連結孔６ａの中に挿嵌される挿入ピン２５と、ロッド２４の後端に付設されたペダル２６とから構成されている。ロッド２４は、横架材２１の中央部に垂設されたブラケット２７に鉛直方向に回転自在に一点支持されている。挿入ピン２５は、台車１１が図１に示す入浴用受け台１の前面に横付けされる際に、図１に示す台車連結部６に当接され、台車連結部６の案内部６ｂ上を摺動して連結孔６ａの中に挿入される。また、挿入ピン２５は、ペダル２６を踏むことで上昇して連結孔６ａから抜き出される。
【００２７】
椅子部１２は、平面視四角形状に形成された椅子フレーム３０上に椅子本体３１が取り付けられた構造になっている。椅子フレーム３０には、幅方向に延在するアングル材からなる横架材３０ｂが備えられており、この横架材３０ｂの前側の側面（前側に向けられた面）の一部が後述する係合部材４１に当接される被係合面３０ａとなる。また、椅子フレーム３０には、二列平行に設けられた第１，第２のレール４，１７上を走行する複数の車輪３２が二列にそれぞれ取り付けられており、椅子フレーム３０は車輪３２によって移動可能に支持されている。椅子部１２は、車輪３２によって第１，第２のレール４，１７上をスライド可能であり、椅子部１２は、前方向にスライドすることで台車１１と分離され、また、後方向にスライドすることで台車１１上の正規載置位置Ｘ（図２に示す位置）に戻される。なお、椅子部１２は、図示せぬ前記係止部によって正規載置位置Ｘよりも後方にスライドされることはない。
【００２８】
安全機構１３は、台車１１が図１に示す入浴用受け台１に対して正規の位置に配置されていない移動不可状態では、台車１１上にある椅子部１２の分離方向Ｌ（前側方向）へのスライドを規制するとともに、分離方向Ｌと反対の戻り方向Ｍ（後側方向）への椅子部１２のスライドを許容し、また、台車１１が入浴用受け台１に対して正規の位置に配置された移動可能状態では、椅子部１２の分離方向Ｌへのスライド規制を解除するものである。
【００２９】
図３は安全機構１３を表した拡大断面図であり、図４は安全機構１３を表した平面図である。図３，図４に示すように、安全機構１３の具体的構成としては、台車フレーム１５に付設された基台４０と、基台４０に鉛直方向に回転可能に取り付けられて椅子部１２の椅子フレーム３０に形成された被係合面３０ａに当接される係合位置Ａから分離方向Ｌ側（図３に示す黒塗り矢印方向）および戻り方向Ｍ側（図３に示す白抜き矢印方向）にそれぞれ回動可能な係合部材４１と、前後方向に延在して台車１１の前端面から突出されて且つ軸方向に往復移動可能なロッド部材４２と、係合部材４１を分離方向Ｌ側に付勢する第１の付勢部材４３と、ロッド部材４２を前方向に付勢する第２の付勢部材４４とから構成されている。
【００３０】
基台４０は、前後端が台車フレーム１５にボルト固定された前後方向に延在する板材からなる台座４５と、台座４５上に溶接固定され、前後方向にそれぞれ延在して幅方向に間隔をあけて並べられた平行する２枚の保持板４６とから構成されている。２枚の保持板４６には前後方向に延在する長孔４６ａがそれぞれ形成されている。
【００３１】
係合部材４１は、移動不可状態では前後方向に延在する下端部４１ａと、下端部４１ａの後端から上方向に延在する上端部４１ｂとからなるＬ字形状（図３では反転Ｌ字形状）の板材である。係合部材４１の下端部４１ａは保持板４６間に配置されており、下端部４１ａの後端は保持板４６に鉛直方向に回転可能に取り付けられ、係合部材４１の回転支点は下端部４１ａの後端に形成されている。係合部材４１の上端部４１ｂには、椅子フレーム３０に形成された被係合面３０ａに当接する係合面４１ｃが形成されている。係合面４１ｃは、移動不可状態では、後側に向けられており、被係合面３０ａと対向する面となっている。
【００３２】
ロッド部材４２は、前端（先端）が図２に示す入浴用受け台１の前面１ａに付設されたロッド当接部７に当接する棒部４７と、棒部４７の後端（基端）に接合された平面視Ｕ字形状の二叉部４８と、二叉部４８間に架設されたピン部４９とから構成されている。棒部４７は、基台４０前側部上面に付設されて前後方向に延在する孔を有する支持部材５０内に前後移動可能に緩挿されている。二叉部４８は、２枚の保持板４６を外側から挟み込む構成となっている。ピン部４９は、幅方向に延在するロッド状の部材であり、両端が保持板４６に形成された長孔４６ａ内にそれぞれ挿通され、前後方向に移動可能となっている。また、ピン部４９は、移動不可状態における係合部材４１の分離方向Ｌ側への回動を規制するものであり、ピン部４９の中間部上面には、係合部材４１の下端部４１ａが当接されている。
【００３３】
第１の付勢部材４３は、係合位置Ａにある係合部材４１を分離方向Ｌ側に引き寄せて分離方向Ｌ側に回動させる例えばスプリング等からなり、一端（前端）が、２枚の保持板４６から前方に突設された平面視Ｕ字形状のブラケット５１に取り付けられ、他端（後端）が、係合部材４１の上端部４１ｂに取り付けられている。
【００３４】
第２の付勢部材４４は、移動不可状態におけるロッド部材４２を前方に引き寄せて前方に移動させる例えばスプリング等からなり、一端（前端）が支持部材５０上端に取り付けられており、他端（後端）が二叉部４８に取り付けられている。
【００３５】
図５は移動不可状態における入浴用車椅子１０の状態を表した図である。図５に示すように、安全機構１３は、分離方向Ｌへスライドする椅子部１２が所定の係止位置Ｙまできたところで係止するものである。なお、ここでいう「位置」とは、椅子部１２の台車１１に対する相対的な位置関係を意味する。
【００３６】
上記した椅子部１２の係止位置Ｙは、台車１１上における椅子部１２の正規載置位置Ｘから分離方向Ｌ側にずらされ、且つ、要介助者を着座させた状態における椅子部１２の仮想重心線Ｇ１が分離方向Ｌ側の最外側にあるキャスター１６ａの仮想重心線Ｇ２よりも戻り方向Ｍ側（内側）になる位置である。本実施の形態では、前側のキャスター１６ａが分離方向Ｌ側の最外側になる。
【００３７】
また、椅子部１２の係止位置Ｙは、台車１１上の椅子部１２が正規載置位置Ｘに載置されていない事実を介助者が認知できる位置範囲と前記事実を介助者が認知できない位置範囲との境界位置であることが望ましく、少なくとも、台車１１上の椅子部１２が正規載置位置Ｘに載置されていない事実を介助者が当然に認知できる範囲内の位置である。つまり、安全機構１３は、台車１１上の椅子部１２が不完全に載置されている場合に、その不具合を介助者が認知できず不完全に載置された椅子部１２が正規載置位置Ｘにあるものと誤認する虞のある位置で、椅子部１２を係止するものではなく、少なくとも、台車１１上の椅子部１２が正規載置位置Ｘに載置されていない事実を介助者が当然に認知できる位置で、椅子部１２を係止するものである。具体的には、椅子部１２の係止位置Ｙは、正規載置位置Ｘからキャスター１６ａの仮想重心線Ｇ２の間にある。
【００３８】
また、図３，図４，図５に示すように、移動不可状態になると、ロッド部材４２は第２の付勢部材４４によって前方に付勢され、ピン部材４９は長孔４６ａの前端に配置される。そして、第１の付勢部材４３によって付勢された係合部材４１の分離方向Ｌ側への回動は、上記ピン部材４９によって係止され、係合部材４１は係合位置Ａに配置される。
【００３９】
このとき、椅子部１２が台車１１上における係止位置Ｙよりも戻り方向Ｍ側にある場合、椅子部１２が分離方向Ｌにスライドされると、係合位置Ａにある係合部材４１の係合面４１ｃが椅子フレーム３０に形成された被係合面３０ａに当接され、椅子部１２は係合部材４１に係止され、椅子部１２の分離方向Ｌへのスライドは規制される。一方、椅子部１２が台車１１上における係止位置Ｙよりも分離方向Ｌ側にある場合、椅子部１２が戻り方向Ｍにスライドされると、係合部材４１の上端部４１ｂが椅子部１２の一部に押圧されて係合部材４１は戻り方向Ｍ側に倒され、椅子部１２の戻り方向Ｍへのスライドは許容される。なお、係合面４１ｃあるいは被係合面３０ａのうち、いずれか一方のスライド方向（前後方向）の位置を調節することで、椅子部１２の分離方向Ｌへのスライドを係止する位置は調整される。
【００４０】
図６は移動可能状態における入浴用車椅子１０の状態を表した図である。図３，図４，図６に示すように、移動可能状態では、棒部４７の先端がロッド当接部７に当接されてロッド部材４２が第２の付勢部材４４に抵抗して後方に移動し、ピン部材４９が長孔４６ａの後端に配置される。ピン部材４９が長孔４６ａの後端に配置されると、係合部材４１の分離方向Ｌ側への回動規制が解除され、係合部材４１は、第１の付勢部材４３によって付勢されて分離方向Ｌ側に回動され、非係合位置Ｂに配置され、椅子部１２の分離方向Ｌへのスライド規制が解除される。
【００４１】
図７はロック機構１４を表す平面図である。図２，図７に示すように、ロック機構１４は、台車１１上面に取り付けられた被嵌合孔６０ａを有する被嵌合部６０と、被嵌合孔６０ａに上から嵌入される嵌合ピン６１と、嵌合ピン６１を上下動させて嵌合ピン６１を被嵌合孔６０ａから抜き差しさせる上下動手段６２とから構成されている。嵌合ピン６１および上下動手段６２は椅子部１２側に設けられている。
【００４２】
被嵌合部６０は、前後方向に延在する板状の部材であり、前端には斜め下方に傾斜する傾斜面６０ｂが形成されており、後端には被嵌合孔６０ａが形成されている。
嵌合ピン６１は、鉛直方向に延在する棒状の部材であり、嵌合ピン６１が被嵌合孔６０ａに嵌入されることで、台車１１と椅子部１２とがロックされる。
【００４３】
上下動手段６２は、嵌合ピン６１の上端部に一端が接合された梃子部６３と、梃子部６３の他端を押圧するリンク機構部６４と、リンク機構部６４を操作する操作レバー６５とから構成されている。梃子部６３は他端が押圧されて下がることで一端を上昇させて嵌合ピン６１を上昇させる機構である。リンク機構部６４は、入浴用車椅子１０の後方に居る介助者が操作レバー６５を手前に引くことで、梃子部６３の他端を押圧する機構であり、一端が操作レバー６５に取り付けられ、且つ中間部を回転支点６６ａにして回転可能な第１の腕部６６と、第１の腕部６６の他端に回転可能に取り付けられているとともに梃子部６３の押圧方向に移動可能に設けられた第２の腕部６７とから構成されている。
【００４４】
次に、上記した構成からなる入浴用車椅子１０の使用方法について説明する。
【００４５】
まず、介助者は、要介助者を乗せた入浴用車椅子１０を、入浴用受け台１の前面１ａの側方に移動させ、入浴用受け台１に対して前向きに配置する。そして、入浴用車椅子１０を入浴用受け台１の前面１ａに向かって真直ぐ押して、入浴用受け台１の前面１ａに設けられた台車ガイド部５ａ，５ｂに台車１１の前側脚部１９ａに設けられた位置決め部材２３を突き当てて、入浴用車椅子１０を入浴用受け台１に対して正規の位置に配置させる。
【００４６】
このとき、棒部４７の先端が入浴用受け台１に付設されたロッド当接部７に当接し、ロッド部材４２は後方に移動する。そして、係合部材４１の分離方向Ｌ側への回動を規制するピン部材４９の規制が解除されて、係合部材４１は第１の付勢部材４３の付勢によって分離方向Ｌ側に回動して非係合位置Ｂに配置された状態となる。
また、挿入ピン２５は、入浴用受け台１に付設された台車連結部６の案内部６ｂの傾斜面によって押し上げられつつ案内部６ｂの表面上を摺動し、下端部が連結孔６ａ内に嵌入する。これによって、台車１１と入浴用受け台１とが連結された状態となり、また、入浴用受け台１に設けられた２本の第１のレール４と台車１１に設けられた２本の第２のレール１７とが同一線上に配置された移動可能状態となる。
【００４７】
次に、介助者は、ロック機構１４の操作レバー６５を手前に引き、被嵌合孔６０ａ内に嵌挿された嵌合ピン６１を上昇させて被嵌合孔６０ａから抜き出し、ロック機構１４のロック状態を解除する。そして、椅子部１２を前方（分離方向Ｌ）に押し出して、同一線上に配置された第１のレール４及び第２のレール１７に沿って椅子部１２を移動させ、椅子部１２を台車１１上から入浴用受け台１上に載せ替える。このとき、係合部材４１は非係合位置Ｂに在って安全機構１３のスライド規制は解除された状態にあり、椅子部１２の分離方向Ｌおよび戻り方向Ｍへのスライドはそれぞれ自在となっている。
【００４８】
次に、入浴装置によって要介助者を椅子部１２に着座させたまま入浴させた後、椅子部１２を後方（戻り方向Ｍ）に引き戻して、椅子部１２を入浴用受け台１上から台車１１上に載せ替える。そして、台車１１上に移動させられた椅子部１２を、台車１１上の正規載置位置Ｘまで引き戻す。このとき、椅子部１２が正規載置位置Ｘまで引き戻された時点で、ロック機構１４が椅子部１２と台車１１とをロックする。具体的には、ロック機構１４の嵌合ピン６１が、被嵌合部６０の傾斜面６０ｂによって押し上げられつつ被嵌合部６０上を摺動し、椅子部１２が正規載置位置Ｘに配置された時点で被嵌合孔６０ａ内に嵌入する。
【００４９】
次に、連結手段１８のペダル２６を踏動して挿入ピン２５を上昇させ、挿入ピン２５を連結孔６ａの中から引き抜いて入浴用受け台１と台車１１との連結状態を解除する。そして、入浴用車椅子１０を移動させて入浴用受け台１から離して、入浴用車椅子１０を移動不可状態にする。
【００５０】
このとき、棒部４７の先端が入浴用受け台１に付設されたロッド当接部７から離れ、ロッド部材４２は第２の付勢部材４４によって付勢されて前方に移動する。ロッド部材４２が前方に移動することで、ロッド部材４２に備えられたピン部材４９は前端に移動し、このピン部材４９によって係合部材４１の下端部４１ａが押し上げられて係合部材４１は係合位置Ａに配置された状態となる。
【００５１】
上記した構成からなる入浴用車椅子１０によれば、入浴用車椅子１０が移動不可状態にある場合、係合部材４１が係合位置Ａに配置されるため、係合部材４１による係止位置Ｙよりも戻り方向Ｍ側にある椅子部１２の分離方向Ｌへのスライドは、係合部材４１によって規制され、台車１１上からの椅子部１２の転落が防止される。これによって、万一、移動不可状態でロック機構１４が解除されてしまった場合でも、安全性を確保することができる。また、入浴用車椅子１０が移動可能状態にある場合、係合部材４１は非係合位置Ｂに配置されるため、椅子部１２は分離方向Ｌおよび戻り方向Ｍに自由にスライドさせることができる。
【００５２】
また、係合位置Ａにある係合部材４１は戻り方向Ｍ側へ回動自在であるため、係合部材４１による係止位置Ｙよりも分離方向Ｌ側にある椅子部１２の戻り方向Ｍへのスライドは許容される。したがって、椅子部１２が係合部材４１による係止位置Ｙよりも分離方向Ｌ側にあるような不完全な状態で台車１１上に載せられた状態で、移動不可状態になった場合でも、係合部材４１によってスライドが規制されることなく、椅子部１２を台車１１上における正規載置位置Ｘに完全に引き戻すことができる。これによって、台車１１を入浴用受け台１に対して正規の位置に再度配置する等のやり直し作業を行う必要がなく、椅子部１２の載せ替え作業の作業効率が向上し、作業スピードを速くすることができる。
【００５３】
また、椅子部１２は、台車１１上における正規載置位置Ｘから分離方向Ｌ側にずらされた位置で、安全機構１３によって係止されるため、台車１１上における椅子部１２のスライド範囲のうち、椅子部１２の正規載置位置Ｘと安全機構１３による椅子部１２の係止位置Ｙとの間には、係合部材４１によって椅子部１２の分離方向Ｌへのスライドが係止されて椅子部１２の台車１１上からの転落が防止される安全圏が形成される。これにより、椅子部１２を引き戻す際、台車１１上における正規載置位置Ｘの手前に安全圏があることになり、椅子部１２を正規載置位置Ｘまで完全に引き戻さなくても、椅子部１２が少なくとも安全圏内に入っていれば、安全機構１３によって椅子部１２が台車１１上から転落することを回避することができる。よって、椅子部１２の乗せ替え作業を急いだ場合でも安全性を確保することができる。
【００５４】
また、椅子部１２の係止位置Ｙは、要介助者を着座させた状態における椅子部１２の仮想重心線Ｇ１が分離方向Ｌ側の最外側にあるキャスター１６ａの仮想重心線Ｇ２よりも戻り方向Ｍ側になる位置であるため、椅子部１２が係止位置Ｙに配置されたときに、椅子部１２は、台車１１上に安定した状態で載置され、バランスを崩して転倒することがなく、安全性を向上させることができる。
【００５５】
以上、本発明に係る入浴用車椅子の実施の形態について説明したが、本発明は上記した実施の形態に限定されるものではなく、その趣旨を逸脱しない範囲で適宜変更可能である。例えば、上記した実施の形態では、椅子部１２が台車１１に対して前後方向にスライド可能な構成となっており、椅子部１２を入浴用受け台１に載せ替える際、入浴用車椅子１０を入浴用受け台１の前面１ａに対して前向きに配置しているが、本発明は、椅子部が台車に対して幅方向にスライド可能な構成としてもよく、この場合、椅子部を入浴用受け台に載せ替える際、入浴用車椅子を入浴用受け台に対して横向きに配置する。
【００５６】
また、上記した実施の形態では、鉛直方向に回動する係合部材４１が用いられているが、本発明は、例えば水平方向に回動する係合部材であってもよく、回動方向は何れの方向であっても良い。
【００５７】
また、上記した実施の形態では、係合位置Ａから分離方向Ｌ側および戻り方向Ｍ側にそれぞれ回動可能な係合部材４１が備えられ、移動不可状態では、係合部材４１が係合位置Ａに配置されているとともに、係合部材４１の分離方向Ｌ側への回動が規制され、且つ係合部材４１の戻り方向Ｍ側への回動が許容され、一方、移動可能状態では、係合部材４１が非係合位置Ｂに配置される構成からなる安全機構１３が示されているが、本発明は、係合部材を回動させずに係合位置から非係合位置に移動させる安全機構であってもよい。
【００５８】
図８は他の実施の形態を表す安全機構１００の部分図である。図８に示すように、例えば、上下動可能な係合部材１０１が備えられ、移動不可状態では係合部材１０１が係合位置Ａに配置され、移動可能状態になると係合部材１０１が下方或いは上方（図８では下方）に移動して非係合位置Ｂに配置される構成からなる安全機構１００であってもよい。この場合、係合部材１０１の全体或いは被係合面１０２に係合する部分１０１ａが、戻り方向Ｍ側に回動可能となっている構成にする必要があり、例えば、図８に示すように、ヒンジ１０３によって被係合面１０２に係合する部分１０１ａのみを戻り方向Ｍ側に回動可能とする構成でもよい。なお、図８における符号１０３は台車を示し、符号１０４は椅子部を示し、符号１０５は入浴用受け台を示し、符号１０６は台車１０３に設けられたレールを示し、符号１０７は入浴用受け台１０５に設けられたレールを示し、符号１０８は椅子部１０４に設けられた車輪を示し、符号１０９は係合部材１０１を上下動させる上下動機構を示し、符号１１０，符号１１１はそれぞれ付勢部材を示している。
【００５９】
また、上記した実施の形態では、係合部材４１は台車１１の略中央部に設けられているが、本発明は、係合部材の設置位置は台車中央部に設けられている必要はなく、台車上に載せられた椅子部を所定の係止位置でスライド規制することができる構成であれば、係合部材は台車上の何処に設けられていてもよい。例えば、係合部材を上記した実施の形態の場合と比べて分離方向側に寄せた位置に設けた場合、被係合面の位置を同じく分離方向側に寄せることで、安全機構による椅子部の係止位置を変えずに係合部材の設置位置を変更することは可能である。
【００６０】
また、上記した実施の形態では、台車１１側に係合部材４１が設けられ、椅子部１２側に被係合面３０ａが形成されているが、本発明は、椅子部側に係合部材を設けて、台車側に被係合面を形成する構成としてもよい。
【００６１】
また、上記した実施の形態では、安全機構１３は、台車１１上における椅子部１２の正規載置位置Ｘから分離方向Ｌ側にずらされた位置で、分離方向Ｌへスライドする椅子部１２を係止するものであるが、本発明は、正規載置位置で分離方向へスライドする椅子部を係止する安全機構であってもよい。
【図面の簡単な説明】
【００６２】
【図１】本願に係る入浴用車椅子の実施の形態を説明するための入浴装置の入浴用受け台を表す図である。
【図２】本願に係る入浴用車椅子の実施の形態を説明するための入浴用車椅子を表す図である。
【図３】本願に係る入浴用車椅子の実施の形態を説明するための安全機構を表す断面図である。
【図４】本願に係る入浴用車椅子の実施の形態を説明するための安全機構を表す平面図である。
【図５】本願に係る入浴用車椅子の実施の形態を説明するための移動不可状態での入浴用車椅子を表す図である。
【図６】本願に係る入浴用車椅子の実施の形態を説明するための移動可能状態での入浴用車椅子を表す図である。
【図７】本願に係る入浴用車椅子の実施の形態を説明するためのロック機構を表す平面図である。
【図８】本願に係る入浴用車椅子の他の実施の形態を説明するための安全機構を表す断面図である。
【符号の説明】
【００６３】
１，１０５  入浴用受け台（入浴装置）
１０  入浴用車椅子
１１，１０３  台車
１２，１０４  椅子部
１３，１００  安全機構
１６  キャスター
１６ａ  分離方向側の最外側にあるキャスター
４１，１０１  係合部材
Ａ  係合位置
Ｂ  非係合位置
Ｇ１  椅子部の仮想重心線
Ｇ２  キャスターの仮想重心線
Ｌ  分離方向
Ｍ  戻り方向
Ｘ  正規載置位置
Ｙ  係止位置
【図１】
2006255165.tif 000003
【図２】
2006255165.tif 000004
【図３】
2006255165.tif 000005
【図４】
2006255165.tif 000006
【図５】
2006255165.tif 000007
【図６】
2006255165.tif 000008
【図７】
2006255165.tif 000009
【図８】
2006255165.tif 000010